(57)【要約】【課題】インク発色性などの特性が様々な媒体（布帛など）に対して、簡便に所望の色彩で記録（印刷）できる液体吐出技術を提供する。【解決手段】液体吐出方法は、液体吐出装置を用いて記録媒体に液体を吐出することで記録媒体に画像を記録する液体吐出方法であって、記録媒体に記録する記録画像情報を取得するステップと、液体吐出装置に給された記録媒体の色彩情報を取得するステップと、記録画像情報および色彩情報に基づき液体吐出制御情報を生成する液体吐出制御情報生成ステップと、液体吐出制御情報に基づき、記録媒体に前記液体を吐出するステップと、を含む。【選択図】図２
2015039678.tif 000002
【特許請求の範囲】
【請求項１】
液体吐出装置を用いて記録媒体に液体を吐出することで前記記録媒体に画像を記録する液体吐出方法であって、
前記記録媒体に記録する記録画像情報を取得するステップと、
前記液体吐出装置に給された前記記録媒体の色彩情報を取得するステップと、
前記記録画像情報および前記色彩情報に基づき液体吐出制御情報を生成する液体吐出制御情報生成ステップと、
前記液体吐出制御情報に基づき、前記記録媒体に前記液体を吐出するステップと、を含むことを特徴とする液体吐出方法。
【請求項２】
前記液体吐出制御情報生成ステップは、
前記記録画像情報を前記記録画像情報に対応した液体吐出制御情報に変換するルックアップテーブルを前記色彩情報に基づき補正して補正ルックアップテーブルを生成するステップと、
前記記録画像情報を前記補正ルックアップテーブルにより前記液体吐出制御情報に変換するステップと、を含むことを特徴とする請求項１に記載の液体吐出方法。
【請求項３】
前記液体吐出制御情報生成ステップは、
前記記録画像情報を前記色彩情報に基づき補正して補正記録画像情報を生成するステップと、
前記補正記録画像情報に基づき前記液体吐出制御情報を生成するステップと、を含むことを特徴とする請求項１に記載の液体吐出方法。
【請求項４】
前記液体吐出制御情報生成ステップは、
前記記録画像情報に対応した液体吐出制御情報を、前記色彩情報に基づき補正するステップを含むことを特徴とする請求項１に記載の液体吐出方法。
【請求項５】
液体吐出装置を用いて記録媒体に液体を吐出することで前記記録媒体に画像を記録する液体吐出方法であって、
前記液体吐出装置に給された前記記録媒体の色彩が異なる場合に、前記記録媒体に吐出される前記液体の配置が異なることを特徴とする液体吐出方法。
【請求項６】
記録媒体に液体を吐出し画像を記録する液体吐出装置であって、
前記液体吐出装置に給された前記記録媒体から得られた前記記録媒体の色彩情報に応じて補正された補正画像情報に基づき、前記記録媒体に前記液体を吐出する液体吐出部を備えることを特徴とする液体吐出装置。
【請求項７】
前記色彩情報を取得する色彩情報取得部を備えることを特徴とする請求項６に記載の液体吐出装置。
【請求項８】
前記色彩情報に応じて前記補正画像情報を生成する補正処理部を備えることを特徴とする請求項６または請求項７に記載の液体吐出装置。
【請求項９】
記録画像情報が入力される画像情報入力部を備え、
前記補正処理部は、前記色彩情報に応じて前記記録画像情報を補正することで前記補正画像情報を生成することを特徴とする請求項８に記載の液体吐出装置。
【請求項１０】
記録媒体に液体を吐出し画像を記録する液体吐出装置であって、
前記液体吐出装置に給された前記記録媒体の色が異なる場合に、前記記録媒体に吐出される前記液体の配置が異なることを特徴とする液体吐出装置。
【発明の詳細な説明】
【技術分野】
【０００１】
本発明は、液体吐出方法および液体吐出装置に関する。
【背景技術】
【０００２】
液体吐出装置の一例として、紙やフィルムなどの各種記録媒体にインク液滴を吐出して、画像の記録（印刷）を行うインクジェット式プリンターが知られている。インクジェット式プリンターは、高精細なデジタルカラー画像の記録が容易なことから、オフィス用、パーソナル用から産業用まで、幅広い分野での活用が急速に広まってきた。記録の対象も、様々な分野で活用される様々な媒体に広まり、特に捺染への応用が活発化している。
インクジェット式プリンターによる捺染は、スクリーン捺染で用いられる染型が不用であり、デジタル化（電子化）されたデザイン情報を利用することができる。そのため、顧客の要求に応じた細かいデザインの変更などに迅速に対応することができ、工数、生産時間を大幅に削減、短縮することができる。また、色のグラデーションを表現することができるなど、デザインの自由度が大きいという利点がある。
【０００３】
一方、記録媒体としての布帛は、画像や情報を記録する為の媒体である紙やフィルムなどのように、一定した規格のもとで品質が管理されている記録媒体と異なり、衣料品などの繊維製品の材料となるので、その材質、表面の質感や色によりインクの浸透性や発色性などの記録特性が様々であり、予めインクジェット式プリンターに設けられたカラーマネジメントシステムでは、所望の色形成を一定に行うことが難しい布帛も多数存在する。しかし、紙やフィルムと異なり布帛自体にも繊維製品の材料としての個別の価値や、質感といった特徴があるので、記録特性のみが優れる他の布帛で代替するといったことができないという課題があった。これに対して、布帛の種類ごとに予め捺染データを作成しておき、捺染対象となる布帛に応じて最適な捺染データを使い分けることにより、所望のデザインや色彩を確保する手法が検討されていた（例えば、特許文献１参照）。
【先行技術文献】
【特許文献】
【０００４】
【特許文献１】特開２０００−３４５４６３号公報
【発明の概要】
【発明が解決しようとする課題】
【０００５】
しかしながら、特許文献１に記載の捺染装置や捺染方法では、捺染に当たって、数多く準備された捺染データから、所望の布帛に対応した捺染データを誤りなく選択しなければならなかった。また、予め準備したデータでは、所望の布帛の種類における色のばらつきや色むらなどに対応させることができない布帛も多数あるなどの課題もあった。
【課題を解決するための手段】
【０００６】
本発明は、上述の課題の少なくとも一部を解決するためになされたものであり、以下の適用例または形態として実現することが可能である。
【０００７】
［適用例１］  本適用例に係る液体吐出方法は、液体吐出装置を用いて記録媒体に液体を吐出することで前記記録媒体に画像を記録する液体吐出方法であって、前記記録媒体に記録する記録画像情報を取得するステップと、前記液体吐出装置に給された前記記録媒体の色彩情報を取得するステップと、前記記録画像情報および前記色彩情報に基づき液体吐出制御情報を生成する液体吐出制御情報生成ステップと、前記液体吐出制御情報に基づき、前記記録媒体に前記液体を吐出するステップと、を含むことを特徴とする。
【０００８】
本適用例による液体吐出方法は、記録媒体に記録する記録画像情報を取得するステップと、液体吐出装置に給された記録媒体の色彩情報を取得するステップとを含んでいる。また、これらの記録画像情報および色彩情報に基づき液体吐出制御情報を生成する液体吐出制御情報生成ステップと、この液体吐出制御情報に基づき、記録媒体に液体を吐出するステップとを含んでいる。つまり、実際に画像を記録する対象としての記録媒体自体の色彩情報を記録前に取得し、その色彩情報に基づいて、記録する画像情報を補正して記録を行う。そのため、記録媒体毎の色彩情報に合わせて適正化された画像の記録を行うことができる。つまり、予め記録媒体（例えば捺染の場合には布帛）の種類毎に適正に記録するための情報を用意しておく必要が無いため、簡便に所望の色彩で、あるいは所望の色彩により近い色彩で記録（印刷）することができる。その結果、記録に関わる工数の削減や生産時間の短縮などが図れ、より生産性を高めることができる。
また、記録する媒体に色のばらつきや色むらなどが有った場合であっても、これらの色のばらつきや色むらなども含めて、記録する画像の補正をすることができるようになるため、より、安定して所望の色彩による記録（印刷）物を生産することができる。
【０００９】
［適用例２］  上記適用例に係る液体吐出方法において、前記液体吐出制御情報生成ステップは、前記記録画像情報を前記記録画像情報に対応した液体吐出制御情報に変換するルックアップテーブルを前記色彩情報に基づき補正して補正ルックアップテーブルを生成するステップと、前記記録画像情報を前記補正ルックアップテーブルにより前記液体吐出制御情報に変換するステップと、を含むことを特徴とする。
【００１０】
本適用例によれば、液体吐出制御情報生成ステップは、記録画像情報を記録画像情報に対応した液体吐出制御情報に変換するルックアップテーブルを、液体吐出装置に給された記録媒体の色彩情報に基づき補正して補正ルックアップテーブルを生成するステップを含んでいる。また、記録画像情報をこの補正ルックアップテーブルにより液体吐出制御情報に変換するステップを含んでいる。ルックアップテーブルは、記録画像情報を記録画像情報に対応した液体吐出制御情報に変換するデータの変換テーブルである。液体吐出装置に給された記録媒体の色彩情報に基づき、この変換テーブルを補正することで、記録媒体の色彩の影響を相殺、あるいは低減して所望の色彩、あるいは所望の色彩により近い色彩が得られる液体吐出制御情報を得ることができる。その結果、より簡便に所望の色彩画像を記録することが可能となる。
【００１１】
［適用例３］  上記適用例に係る液体吐出方法において、前記液体吐出制御情報生成ステップは、前記記録画像情報を前記色彩情報に基づき補正して補正記録画像情報を生成するステップと、前記補正記録画像情報に基づき前記液体吐出制御情報を生成するステップと、を含むことを特徴とする。
【００１２】
本適用例によれば、液体吐出制御情報生成ステップは、記録画像情報を液体吐出装置に給された記録媒体の色彩情報に基づき補正して補正記録画像情報を生成するステップと、この補正記録画像情報に基づき液体吐出制御情報を生成するステップとを含んでいる。記録画像情報は、例えば、一般的なデジタルカメラなどで取得される一般的なデジタル画像情報である。液体吐出装置に給された記録媒体の色彩情報に基づき、この画像情報を補正して得られた補正記録画像情報に基づき液体吐出制御情報が生成されるため、記録媒体の色彩の影響を相殺、あるいは低減して所望の色彩、あるいは所望の色彩により近い色彩画像を記録することが可能となる。
【００１３】
［適用例４］  上記適用例に係る液体吐出方法において、前記液体吐出制御情報生成ステップは、前記記録画像情報に対応した液体吐出制御情報を、前記色彩情報に基づき補正するステップを含むことを特徴とする。
【００１４】
本適用例によれば、液体吐出制御情報生成ステップは、記録画像情報に対応した液体吐出制御情報を、液体吐出装置に給された記録媒体の色彩情報に基づき補正するステップを含んでいる。液体吐出装置は、液体吐出制御情報に基づき、記録媒体に液体を吐出する。液体吐出装置に給された記録媒体の色彩情報に基づき、この液体吐出制御情報が補正されるため、記録媒体の色彩の影響を相殺、あるいは低減して所望の色彩、あるいは所望の色彩により近い色彩画像を記録することが可能となる。
【００１５】
［適用例５］  本適用例に係る液体吐出方法は、液体吐出装置を用いて記録媒体に液体を吐出することで前記記録媒体に画像を記録する液体吐出方法であって、前記液体吐出装置に給された前記記録媒体の色彩が異なる場合に、前記記録媒体に吐出される前記液体の配置が異なることを特徴とする。
【００１６】
本適用例による液体吐出方法は、液体吐出装置に給された記録媒体の色彩が異なる場合に、記録媒体に吐出される液体の配置が異なる。記録媒体に形成される記録（画像）は、吐出される液体（インク液滴）の配置によってその色彩を変化させることができる。また、記録媒体に吐出される液体の配置が同じであっても、記録媒体の色彩が異なる場合には、その影響を受けて、結果的に得られる画像の色彩が異なってしまう場合がある。
本適用例による液体吐出方法は、異なる色彩の記録媒体に対して異なる配置の液体を吐出することで、結果的に得られる画像の色彩を記録媒体の色彩の影響を相殺、あるいは低減して所望の色彩、あるいは所望の色彩により近い色彩画像を記録することが可能となる。
【００１７】
［適用例６］  本適用例に係る液体吐出装置は、記録媒体に液体を吐出し画像を記録する液体吐出装置であって、前記液体吐出装置に給された前記記録媒体から得られた前記記録媒体の色彩情報に応じて補正された補正画像情報に基づき、前記記録媒体に前記液体を吐出する液体吐出部を備えることを特徴とする。
【００１８】
本適用例によれば、液体吐出装置は、液体吐出装置に給された記録媒体から得られた記録媒体の色彩情報に応じて補正された補正画像情報に基づき、記録媒体に液体を吐出する液体吐出部を備えている。つまり、実際に画像を記録する対象としての記録媒体自体の色彩情報を記録前に取得し、その色彩情報に基づいて、記録する画像情報を補正して記録を行う。そのため、記録媒体毎の色彩情報に合わせて適正化された画像の記録を行うことができる。つまり、予め、記録媒体（例えば捺染の場合には布帛）の種類毎に適正に記録するための情報を用意しておく必要が無いため、簡便に所望の色彩で、あるいは所望の色彩により近い色彩で記録（印刷）することができる。その結果、記録に関わる工数の削減や生産時間の短縮などが図れ、より生産性を高めることができる。
また、記録する媒体に色のばらつきや色むらなどが有った場合であっても、これらの色のばらつきや色むらなども含めて、記録する画像の補正をすることができるようになるため、より、安定して所望の色彩による記録（印刷）物を生産することができる。
【００１９】
［適用例７］  上記適用例に係る液体吐出装置において、前記色彩情報を取得する色彩情報取得部を備えることが好ましい。
【００２０】
本適用例のように、液体吐出装置が、記録媒体の色彩情報を取得する色彩情報取得部を備えることにより、実際に画像を記録する対象としての記録媒体自体の色彩情報を液体吐出装置がリアルタイムに取得することができる。
【００２１】
［適用例８］  上記適用例に係る液体吐出装置において、前記色彩情報に応じて前記補正画像情報を生成する補正処理部を備えることが好ましい。
【００２２】
本適用例のように、液体吐出装置が、記録媒体の色彩情報に応じて補正画像情報を生成する補正処理部を備えることにより、実際に画像を記録する対象としての記録媒体自体の色彩情報に応じて、適正に補正された補正画像情報をリアルタイムに生成することができる。
【００２３】
［適用例９］  上記適用例に係る液体吐出装置において、記録画像情報が入力される画像情報入力部を備え、前記補正処理部は、前記色彩情報に応じて前記記録画像情報を補正することで前記補正画像情報を生成することを特徴とする。
【００２４】
本適用例のように、液体吐出装置が、記録画像情報が入力される画像情報入力部を備え、補正処理部が、実際に画像を記録する対象としての記録媒体自体の色彩情報に応じて、入力された記録画像情報を補正し補正画像情報を生成することで、記録媒体の色彩情報に合わせて、簡便に所望の色彩で所望の画像を記録（印刷）することができるようになる。
【００２５】
［適用例１０］  本適用例に係る液体吐出装置は、記録媒体に液体を吐出し画像を記録する液体吐出装置であって、前記液体吐出装置に給された前記記録媒体の色彩が異なる場合に、前記記録媒体に吐出される前記液体の配置が異なることを特徴とする。
【００２６】
本適用例による液体吐出装置は、液体吐出装置に給された記録媒体の色彩が異なる場合に、記録媒体に吐出される液体の配置が異なる。記録媒体に形成される記録（画像）は、吐出される液体（インク液滴）の配置によってその色彩を変化させることができる。また、記録媒体に吐出される液体の配置が同じであっても、記録媒体の色彩が異なる場合には、結果的に得られる画像の色彩が異なってしまう場合がある。
本適用例による液体吐出装置は、異なる色彩の記録媒体に対して異なる配置の液体を吐出することで、結果的に得られる画像の色彩を記録媒体の色彩の影響を相殺、あるいは低減して所望の色彩、あるいは所望の色彩により近い色彩画像を記録することが可能となる。
【図面の簡単な説明】
【００２７】
【図１】（ａ）実施形態１に係る「液体吐出装置」としての捺染装置を示す概略図、（ｂ）色彩情報取得部の配置を示す平面図。
【図２】制御部および画像情報入力部の機能の例を説明するブロック図。
【図３】変形例１として、画像情報入力部が行う液体吐出制御情報生成ステップの変形例を説明するブロック図。
【図４】変形例２として、画像情報入力部が行う液体吐出制御情報生成ステップの変形例を説明するブロック図。
【図５】その他の変形例として、制御部に含む機能の例を説明するブロック図。
【発明を実施するための形態】
【００２８】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。
【００２９】
（実施形態１）
図１（ａ）は、実施形態１に係る「液体吐出装置」としての捺染装置１００を示す概略図、図１（ｂ）は、色彩情報取得部の配置を示す平面図である。図１（ａ）は、床面に設置された捺染装置１００を側面から示し、図１（ｂ）は、捺染装置１００が備える色彩情報取得部の配置を上面から示している。
捺染装置１００は、「記録媒体」としての布帛１に「液体」としてのインクを吐出して画像を形成（記録）することで布帛１の捺染を行う液体吐出装置である。
【００３０】
捺染装置１００は、布帛供給部１０、布帛搬送部２０、布帛回収部３０、インクジェット部４０、メンテナンス部５０、布帛押着部６０、「色彩情報取得部」としての色彩測定部７０、制御部８０および画像情報入力部９０を有する。これら捺染装置１００の各部は、フレーム部１５に取り付けられている。
【００３１】
布帛１としては、例えば綿、絹、ウール、化学繊維、混紡などの布帛が用いられる。本実施形態では、ロール方式で供給される帯状の布帛に対して画像を形成する構成を例に挙げて説明するが、これに限られることは無く、他の構成（例えば枚葉式の記録媒体を対象とする構成）であっても良い。
【００３２】
布帛供給部１０は、インクが吐出される前の、つまり、所望の画像形成が行われていない布帛１を収容する。布帛供給部１０は、軸部１１および軸受部１２を有する。
軸部１１は、円筒状または円柱状に形成されており、ロール状に巻かれた帯状の布帛１のロール中心部において、布帛１を円周方向に回転可能に支持する。軸部１１は、軸受部１２に対して着脱可能に取り付けられる。
軸受部１２は、軸部１１の軸線方向の両端を回転可能に支持する。軸受部１２は、軸部１１を回転駆動させる回転駆動部（図示省略）を有している。回転駆動部は、布帛１が送り出される方向に軸部１１を回転させる。回転駆動部の動作は、制御部８０によって制御される。なお、布帛搬送部２０によって布帛１が安定的に引き出される場合には、必ずしも回転駆動部を有する必要はない。
【００３３】
布帛搬送部２０は、布帛供給部１０からインクジェット部４０を経由し布帛回収部３０までの搬送経路で布帛１を搬送する。布帛搬送部２０は、搬送ローラー２１，２６，２８、テンションローラー２２、搬送ベルト２３、ベルト回転ローラー２４、ベルト駆動ローラー２５、乾燥ユニット２７などを有している。
【００３４】
搬送ベルト２３は、無端状に形成されており、ベルト回転ローラー２４およびベルト駆動ローラー２５に掛けられている。搬送ベルト２３は、ベルト回転ローラー２４とベルト駆動ローラー２５との間の部分が床面９に平行になるように、所定の張力が作用した状態で保持されている。搬送ベルト２３の表面（支持面２３ａ）には、布帛１を粘着させる粘着層（図示省略）が設けられている。搬送ベルト２３は、粘着層が設けられた支持面２３ａで布帛１を支持する。
【００３５】
テンションローラー２２は、搬送経路において、布帛供給部１０と搬送ベルト２３との間に設けられ、搬送ベルト２３（布帛１に粘着する支持面２３ａ）との間で布帛１に所定の張力を発生させる。
搬送ローラー２１は、布帛供給部１０とテンションローラー２２との間で布帛１を中継する。
【００３６】
ベルト回転ローラー２４およびベルト駆動ローラー２５は、搬送ベルト２３の内周面２３ｂを支持する。なお、ベルト回転ローラー２４とベルト駆動ローラー２５との間に、搬送ベルト２３を内周面２３ｂから支持する支持部が設けられた構成であっても構わない。ベルト回転ローラー２４は、搬送ベルト２３の回転に伴って回転する。
【００３７】
ベルト駆動ローラー２５の回転により搬送ベルト２３が回転し、搬送ベルト２３の回転に伴ってベルト回転ローラー２４が回転する。搬送ベルト２３の回転により、搬送ベルト２３（支持面２３ａ）に支持される布帛１が所定の搬送方向に搬送される。搬送経路において、ベルト回転ローラー２４は、ベルト駆動ローラー２５の上流側に配置されている。つまり、ベルト回転ローラー２４からベルト駆動ローラー２５へ向かう方向が搬送方向となる。
搬送ローラー２６は、搬送ベルト２３によって搬送された布帛１を中継する。乾燥ユニット２７は、搬送ローラー２６と搬送ローラー２８との間に設けられており、インクが吐出された後の布帛１を案内し乾燥する。搬送ローラー２８は、乾燥ユニット２７によって案内された布帛１を布帛回収部３０へと中継する。
【００３８】
布帛回収部３０はインクが吐出された後の、つまり所望の画像形成が行われた後の布帛１を収容する。布帛回収部３０は、軸部３１および軸受部３２を有する。
軸部３１は、円筒状または円柱状に形成されており、円周方向に回転可能に設けられている。軸部３１には、帯状の布帛１がロール状に巻かれる。軸部３１は、軸受部３２に対して着脱可能に取り付けられている。このため、軸部３１に布帛１が巻かれた状態において、軸受部３２から軸部３１を取り外すことで、軸部３１ごと布帛１の取り外しが可能となっている。
軸受部３２は、軸部３１の軸線方向の両端を回転可能に支持する。軸受部３２は、軸部３１を回転駆動させる回転駆動部（図示省略）を有している。回転駆動部は、布帛１が巻き取られる方向に軸部３１を回転させる。回転駆動部の動作は、制御部８０によって制御される。
【００３９】
インクジェット部４０は、布帛１に対してインクを吐出する。インクジェット部４０は、「液体吐出部」としてのヘッド４１およびヘッド移動部４２を有している。ヘッド４１には、インクを吐出する吐出面４１ａが備えられている。吐出面４１ａには、インクを吐出する複数のノズル４３が形成されている。吐出面４１ａは、搬送ベルト２３によって搬送される布帛１に向けられている。ヘッド移動部４２は、ヘッド４１を搭載するキャリッジや、布帛１の搬送方向と交差する方向に設けられたガイド軸、キャリッジをガイド軸に沿って移動させる駆動機構などから構成され（図示省略）、ヘッド４１を搬送方向と交差する方向（布帛１の幅方向）に移動させる。
【００４０】
ヘッド４１には、布帛１の搬送方向に沿って配置された複数のノズル４３により例えば４つのノズル列が形成されており、ノズル列毎に異なる色のインク（例えば、シアン：Ｃ、マゼンタ：Ｍ、イエロー：Ｙ、ブラック：Ｋ）が吐出されるようになっている。
【００４１】
メンテナンス部５０は、搬送ベルト２３のメンテナンスを行う。メンテナンス部５０は、処理部５１、基部５２および移動部５３などを有している。処理部５１は、例えば、搬送ベルト２３に付着した埃や糸くずなどの異物を除去する除去部や、搬送ベルト２３の粘着層が劣化した場合などに粘着層を補修する粘着層補修部など搬送ベルト２３に対して各種の処理を行う機構を有している（図示省略）。基部５２は、処理部５１を昇降可能に支持する。移動部５３は、床面９に沿って処理部５１および基部５２を一体的に移動させる。
【００４２】
布帛押着部６０は、インクジェット部４０よりも搬送経路の上流側の搬送ベルト２３の上部に設置されている。布帛押着部６０は、布帛１を、粘着層を有する支持面２３ａに押着し、搬送ベルト２３から離れる（浮く）のを防止する。
【００４３】
色彩測定部７０は、布帛１の色彩情報を色相に分解して取得する。色彩測定部７０としては、例えば、ＣＣＤ（Charge Coupled Device）ラインセンサーなどが用いられる。
また、色彩測定部７０は、色彩情報の取得結果を出力する出力部（図示省略）を有する。出力部から出力された色彩情報は、例えば、制御部８０や画像情報入力部９０などに送信される。
なお、色彩測定部７０には、例えば、白色、あるいは、赤色（Ｒ）、緑色（Ｇ）および青色（Ｂ）の三種類の色相の光を発光する光源、および、光源から布帛１に光を照射したときの反射光の色相を検出する受光素子を備えた検出器などを用いても良い。
【００４４】
色彩測定部７０は、布帛１に画像が形成される前の状態を測定することができる位置、つまり、ヘッド４１に対して布帛１の搬送経路の上流側に配置されている。具体的には、色彩測定部７０は、テンションローラー２２の位置に設置されている。より具体的には、図１（ａ）に示すように、テンションローラー２２と布帛１とが接触し、布帛１が保持されている領域の色彩が測定（検出）される位置に配置されている。
【００４５】
図１（ｂ）は、色彩測定部７０の配置を示す平面図である。図１（ｂ）に示すように、色彩測定部７０は、布帛１の幅方向の全体を覆うように配置されている。色彩測定部７０は、布帛１の幅方向の全体に亘る色彩情報を取得可能である。また、色彩測定部７０は、布帛１の幅方向の両端部からはみ出す領域についても測定可能である。この構成により、布帛１の搬送経路が幅方向にずれた場合であっても色彩情報を取得することができる。
【００４６】
図２は、制御部８０および画像情報入力部９０の機能の例を説明するブロック図である。
画像情報入力部９０は、例えばパーソナルコンピューター（ＰＣ）であり、この画像情報入力部９０を通じて、布帛１に捺染する所望の画像としての記録画像情報が入力される。画像情報入力部９０は、外部の画像情報機器（例えばデジタルカメラ）や外部のＰＣから入力された記録画像情報（例えば、一般的なＲＧＢのデジタル画像情報）の画像処理をする一般的なアプリケーションソフトウェア９１や、記録画像情報を、捺染装置１００を駆動制御するための液体吐出制御情報に変換する変換ソフトウェア９２（例えばプリンタードライバー）などを有している。
【００４７】
変換ソフトウェア９２は、「ルックアップテーブル（以下ＬＵＴ）」としての色変換モジュールや、ハーフトーンモジュール、インターレースモジュールなどを備えている。
ルックアップテーブルは、記録画像情報を記録画像情報に対応した液体吐出制御情報に変換する色変換モジュールである。具体的には、ＲＧＢ系のカラーデータをＣＭＹＫ系のカラーデータに変換する。ＣＭＹＫ系とは、シアン（Ｃ）、マゼンタ（Ｍ）、イエロー（Ｙ）、ブラック（Ｋ）で構成されるカラーモードである。ハーフトーンモジュールおよびインターレースモジュールは、ＣＭＹＫ系の画像情報を、実際に個々のノズル４３から吐出させるドット情報に置き換える処理（２値化処理、配列処理など）を行う。
【００４８】
また、画像情報入力部９０は、布帛１から得られた布帛１の色彩情報に応じて「補正画像情報」を生成するために、ＬＵＴ補正処理モジュール９３を備えている。
ＬＵＴ補正処理モジュール９３は、布帛１から得られた布帛１の色彩情報に基づいてＬＵＴを補正する機能を有する。
ＬＵＴ補正処理モジュール９３は、布帛１の色彩情報に基づきＬＵＴを補正して補正ＬＵＴを生成し、変換ソフトウェア９２内では、記録画像情報をこの補正ＬＵＴ（およびハーフトーンモジュール、インターレースモジュールなど）により液体吐出制御情報に変換することで、補正画像情報を生成する。つまり、補正ＬＵＴを含む変換ソフトウェア９２は、布帛１の色彩情報に応じて補正画像情報を生成する「補正処理部」として機能し、「補正画像情報」としての液体吐出制御情報が得られる。
【００４９】
布帛１の色彩情報に基づきＬＵＴを補正して補正ＬＵＴを生成する方法の例について説明する。
ＬＵＴ補正処理モジュール９３は、通常のＬＵＴに対して補正ＬＵＴを生成するＬＵＴ補正アルゴリズムを有している。通常のＬＵＴとは、補正する前のＬＵＴであり、例えば、補正の必要が無い色彩（例えば白色）の布帛に対して適用されるＬＵＴである。
ＬＵＴ補正アルゴリズムは、例えば、布帛１の色彩情報としてのＲＧＢデータに記録画像情報が持つＲＧＢデータを重ねた場合のズレ量が差し引かれて変換されるＬＵＴを生成するアルゴリズムである。つまり、ＬＵＴ補正アルゴリズムにより、ＲＧＢデータをＣＭＹＫデータに変換するＬＵＴにおいて、ズレ量が差し引かれた結果としてのＣＭＹＫデータが導出されるＬＵＴが生成される。ただし、実際の布帛１などの記録媒体上に現れるＣＭＹＫのズレ量は、単純な記録画像と記録媒体それぞれのＲＧＢ（あるいはＣＭＹＫ）データの加減計算では得られない場合があるため、予め想定される記録媒体の色彩に応じて適正化を図っておくことが好ましい。
【００５０】
このように、捺染装置１００に給された布帛１の色彩が異なる場合には、ＬＵＴ補正処理モジュール９３によって対応した補正ＬＵＴが生成され、通常のＬＵＴにより生成されるインクの配置（実際に個々のノズル４３から吐出されるドットの配列）とは異なるインクの配置が、それぞれの色彩に対応した補正ＬＵＴによって決定される。
【００５１】
制御部８０は、捺染装置１００の各部を統括的に制御する。具体的には、制御部８０は、画像情報入力部９０から入力された液体吐出制御情報に従い、インクジェット部４０の制御（ヘッド４１に対するインクの吐出制御や、ヘッド移動部４２に対するヘッド移動制御）、布帛搬送部２０に対する搬送駆動制御、色彩測定部７０の測定制御や取得した色彩情報の授受などを行う。
制御部８０は、色彩測定部７０が取得した布帛１の色彩情報を画像情報入力部９０に送る。また、制御部８０は、布帛１の色彩情報に基づいて変換された補正画像情報（補正された液体吐出制御情報）に基づき、インクジェット部４０の制御を行う。
【００５２】
次に、図１（ａ）および図２を参照して、上記のように構成された捺染装置１００の一連の動作を説明することにより「液体吐出方法」として布帛１の捺染方法を示す。
液体吐出方法（布帛１の捺染方法）は、少なくとも以下のステップを含む。
すなわち、布帛１に記録する記録画像情報を取得するステップと、捺染装置１００に給された布帛１の色彩情報を取得するステップと、記録画像情報および布帛１の色彩情報に基づき液体吐出制御情報を生成する液体吐出制御情報生成ステップと、液体吐出制御情報に基づき、布帛１にインクを吐出するステップと、を含む。以下に具体的に説明する。
【００５３】
まず、布帛１に記録（捺染）する記録画像情報を画像情報入力部９０に取り込む。
次に、ロール状の布帛１を布帛供給部１０にセットし、搬送経路に従って布帛１を導き、布帛１の先端部を布帛押着部６０により搬送ベルト２３の支持面２３ａに保持させる。
次に、布帛搬送部２０を駆動させ、布帛１を搬送方向に移動させる。同時に、布帛供給部１０は、布帛１を送り出す。
【００５４】
次に、制御部８０の制御の下に、色彩測定部７０は、色彩測定部７０の測定範囲に達した布帛１の色彩情報の取得を開始する。制御部８０は、色彩測定部７０が取得した布帛１の色彩情報を画像情報入力部９０に送る。
次に、液体吐出制御情報生成ステップとして、まず、布帛１の色彩情報を受けた画像情報入力部９０は、ＬＵＴ補正処理モジュール９３によって、布帛１の色彩情報に基づきＬＵＴを補正して補正ＬＵＴを生成する。液体吐出制御情報生成ステップとして、次に、画像情報入力部９０は、記録画像情報をこの補正ＬＵＴ（およびハーフトーンモジュール、インターレースモジュールなど）により液体吐出制御情報に変換することで、補正画像情報を生成する。
【００５５】
制御部８０は、布帛１の色彩情報に基づいて変換された補正画像情報（補正された液体吐出制御情報）に基づき、インクジェット部４０の制御および布帛搬送部２０の制御を行う。具体的には、ヘッド４１に対するインクの吐出制御や、ヘッド移動部４２に対するヘッド移動制御を行い、ヘッド４１を布帛１の幅方向に移動させつつ、ノズル４３からインクを吐出させ、色彩情報を取得した位置に対応する布帛１の領域に画像を記録（捺染）し、この記録動作と同期しながら布帛１の搬送を行う。
【００５６】
次に、画像が記録された布帛１の先端部以降の部分を支持面２３ａから離して搬送経路に従い、搬送ローラー２６、乾燥ユニット２７、搬送ローラー２８、布帛回収部３０へと導く。布帛回収部３０はインクが吐出され乾燥された布帛１を巻き取りながら収容する。
以降、連続的に記録（画像形成による捺染）を継続する。
【００５７】
なお、布帛１の色彩情報取得部位と、それに対応して補正された画像の記録部位との位置的な対応付けの度合いは、所望の画像により適宜設定することが好ましい。具体的には、例えば、布帛１の微細領域に対応付けして行う方法や、布帛１の製造ロット毎に行う方法などが考えられる。
布帛１の微細領域に対応付けして行う方法とは、例えば、布帛１の色彩情報取得を布帛１の微細に分割した領域毎に行い、補正ＬＵＴの生成をその領域毎に頻度を上げて実施し、領域毎の補正ＬＵＴによって補正された画像を該当する色彩情報を取得した領域に形成する方法である。この方法によると、布帛１の色彩ばらつきや染みなどに対応した画像形成（捺染）を行うことができる。
布帛１の製造ロット毎に行う方法とは、例えば、布帛１の色彩ばらつきが小さい場合など、布帛１の製造ロット毎に最初に布帛１の色彩情報を取得し、それに合わせて補正ＬＵＴを一度生成し、補正ＬＵＴによって補正された画像の記録を布帛１の製造ロットの切り替えまで続ける方法である。
また、布帛１の色彩ばらつきがより小さい場合などは、種類毎（つまり布帛の種類を変更した場合毎）に最初に布帛１の色彩情報を取得し、それに合わせて補正ＬＵＴを一度生成し、補正ＬＵＴによって補正された画像の記録を布帛１の切り替えまで続ける方法であっても良い。
【００５８】
以上述べたように、本実施形態による液体吐出装置および液体吐出方法によれば、以下の効果を得ることができる。
液体吐出装置としての捺染装置１００は、捺染装置１００に給された記録媒体としての布帛１から得られた布帛１の色彩情報に応じて補正された補正画像情報に基づき、布帛１に「液体」としてのインクを吐出する「液体吐出部」としてのヘッド４１を備えている。つまり、実際に画像を記録する対象としての布帛１自体の色彩情報を記録前に取得し、その色彩情報に基づいて、記録する画像情報を補正し、記録するため、布帛１毎の色彩情報に合わせて適正化された画像の記録を行うことができる。従って、予め、布帛１の種類毎に適正に記録するための情報を用意しておく必要が無いため、簡便に所望の色彩で、あるいは所望の色彩により近い色彩で記録（印刷）することができる。その結果、記録に関わる工数の削減や生産時間の短縮などが図れ、より生産性を高めることができる。
【００５９】
また、布帛１に色のばらつきや色むらなどが有った場合であっても、これらの色のばらつきや色むらなども含めて、記録する画像の補正をすることができるようになるため、より、安定して所望の色彩による記録（印刷）物を生産することができる。
【００６０】
また、捺染装置１００が、布帛１の色彩情報を取得する「色彩情報取得部」として色彩測定部７０を備えることにより、実際に画像を記録する対象としての布帛１自体の色彩情報を捺染装置１００がリアルタイムに取得することができる。
【００６１】
また、捺染装置１００が、布帛１の色彩情報に応じて補正画像情報を生成するＬＵＴ補正処理モジュール９３を備えることにより、実際に画像を記録する対象としての布帛１自体の色彩情報に応じて、適正に補正された補正画像情報をリアルタイムに生成することができる。
【００６２】
また、捺染装置１００が、記録画像情報が入力される画像情報入力部９０を備え、ＬＵＴ補正処理モジュール９３が、実際に画像を記録する対象としての布帛１自体の色彩情報に応じて、入力された記録画像情報を補正し補正画像情報を生成することで、布帛１の色彩情報に合わせて、簡便に所望の色彩で所望の画像を記録（印刷）することができるようになる。
【００６３】
また、捺染装置１００が、布帛１が搬送される搬送経路において、色彩測定部７０が、布帛供給部１０とインクジェット部４０との間に設けられることで、捺染装置１００に給された布帛１（つまり、実際に画像を記録する対象としての布帛１自体）の色彩情報が、誤りなく取得される。
【００６４】
また、捺染装置１００は、布帛供給部１０と布帛１が支持面２３ａによって保持された部分との間に「テンション部」としてテンションローラー２２を備え、色彩測定部７０は、テンションローラー２２の位置に配置されている。テンションローラー２２によって、布帛１に生じていた皺などが解消され、布帛１の表面状態が一定となるため、色彩情報の取得をより安定して行うことができる。
【００６５】
なお、本発明は、上述した実施形態に限定されず、上述した実施形態に種々の変更や改良などを加えることが可能である。変形例を以下に述べる。ここで、上述した実施形態と同一の構成部位については、同一の符号を使用し、重複する説明は省略している。
【００６６】
（変形例１）
図３は、変形例１として、画像情報入力部９０が行う液体吐出制御情報生成ステップの変形例を説明するブロック図である。
実施形態１では、液体吐出制御情報生成ステップとして、布帛１の色彩情報に基づきＬＵＴを補正して補正ＬＵＴを生成し、次に、記録画像情報をこの補正ＬＵＴ（およびハーフトーンモジュール、インターレースモジュールなど）により液体吐出制御情報に変換することで、補正画像情報を生成する、として説明した。
液体吐出制御情報生成ステップは、このステップに限定するものではなく、例えば、入力された記録画像情報（ＲＧＢ情報）を直接補正するステップを含むものであっても良い。
以下、具体的に説明する。
【００６７】
入力された記録画像情報（ＲＧＢ情報）を直接補正するステップは、図３に示す変換ソフトウェア９２ａにおいて行われる。
変換ソフトウェア９２ａは、ＲＧＢ補正モジュール９４、ＬＵＴ、ハーフトーンモジュール、インターレースモジュールなどを備えている。ＬＵＴ補正処理モジュール９３に代わり、ＲＧＢ補正モジュール９４を備えている点を除き、変換ソフトウェア９２ａは、変換ソフトウェア９２と同じである。
【００６８】
ＲＧＢ補正モジュール９４は、記録画像情報を布帛１の色彩情報に基づき補正して補正記録画像情報を生成する。つまり、ＲＧＢ補正モジュール９４は、布帛１の色彩情報に基づき、記録画像情報が持つＲＧＢ画像データを同じＲＧＢ系においてＲ’Ｇ’Ｂ’画像データとして補正する。その後、ＬＵＴ、ハーフトーンモジュール、インターレースモジュールなどによって補正された液体吐出制御情報が生成され、その液体吐出制御情報に基づき、布帛１にインクが吐出される。つまり、ＲＧＢ補正モジュール９４を備える変換ソフトウェア９２ａが、布帛１の色彩情報に応じて補正画像情報を生成する「補正処理部」として機能し、「補正画像情報」として補正された液体吐出制御情報が得られる。
【００６９】
布帛１の色彩情報に基づき、入力された記録画像情報が補正された補正記録画像情報に従って記録が行われるため、布帛１の色彩の影響を相殺、あるいは低減して所望の色彩、あるいは所望の色彩により近い色彩画像を記録することが可能となる。
また、ＲＧＢ補正モジュール９４を備えることにより、ＬＵＴなどはそのまま使用できるため、より簡便に変換ソフトウェア９２を構成することができる。
【００７０】
（変形例２）
図４は、変形例１と同様に、変形例２として、画像情報入力部９０が行う液体吐出制御情報生成ステップの変形例を説明するブロック図である。
液体吐出制御情報生成ステップは、例えば、生成された液体吐出制御情報を直接補正するステップを含むものであっても良い。
【００７１】
生成された液体吐出制御情報を直接補正するステップは、図４に示す変換ソフトウェア９２ｂにおいて行われる。
変換ソフトウェア９２ｂは、液体吐出制御情報補正モジュール９５、ＬＵＴ、ハーフトーンモジュール、インターレースモジュールなどを備えている。ＬＵＴ補正処理モジュール９３に代わり、液体吐出制御情報補正モジュール９５を備えている点を除き、変換ソフトウェア９２ｂは、変換ソフトウェア９２と同じである。
【００７２】
液体吐出制御情報補正モジュール９５は、従来のプリンタードライバーなどによって生成された液体吐出制御情報を布帛１の色彩情報に基づき直接補正する。つまり、液体吐出制御情報補正モジュール９５を備える変換ソフトウェア９２ｂが、布帛１の色彩情報に応じて補正画像情報を生成する「補正処理部」として機能し、「補正画像情報」として補正された液体吐出制御情報が得られる。布帛１の色彩情報に基づき、液体吐出制御情報が補正されるため、布帛１の色彩の影響を相殺、あるいは低減して所望の色彩、あるいは所望の色彩により近い色彩画像を記録することが可能となる。
また、液体吐出制御情報補正モジュール９５を備えることにより、ＬＵＴなどはそのまま使用できるため、より簡便に変換ソフトウェア９２を構成することができる。
【００７３】
（その他の変形例）
記録媒体として、透光性を有する布帛１を用いる場合については、布帛１の透光度を計測しておき（あるいは予め透光度を求めておき）、色彩測定部７０によって得られた色彩情報を透光度に応じて補正するようにしても良い。また、例えば、布帛１を引っ張って支持するテンションローラー２２を白色に構成し、白色光を透光させた状態で色彩情報を得るようにしても良い。この場合、得られた色彩情報からテンションローラー２２の白色の影響を除外すれば良い。
【００７４】
図５は、その他の変形例として制御部８０に含む機能の例を説明するブロック図である。
上述した実施形態や変形例においては、布帛１の色彩情報に基づく画像の補正処理を、画像情報入力部９０の機能として行う例で説明したが、これに限定するものではない。例えば、図５に示すように、制御部８０において行う構成でも良い。具体的には、変形例２で説明した液体吐出制御情報補正モジュール９５の機能を制御部８０に備える構成でも良い。
【００７５】
また、捺染装置としては、捺染装置１００のように、色彩測定部７０や画像情報入力部９０を含めた構成とするのではなく、それぞれを捺染装置１００の外部に設けた構成としても良い。
【００７６】
また、実施形態１では、色彩測定部７０は、布帛１に画像が形成される前の状態を測定することができるテンションローラー２２の位置に設置されているとして説明したが、これに限定するものではない。例えば、搬送ベルト２３上や、テンションローラーより上流側の位置であっても良い。
【符号の説明】
【００７７】
１…布帛、９…床面、１０…布帛供給部、１１…軸部、１２…軸受部、１５…フレーム部、２０…布帛搬送部、２１，２６，２８…搬送ローラー、２２…テンションローラー、２３…搬送ベルト、２３ａ…支持面、２３ｂ…内周面、２４…ベルト回転ローラー、２５…ベルト駆動ローラー、２７…乾燥ユニット、３０…布帛回収部、３１…軸部、３２…軸受部、４０…インクジェット部、４１…ヘッド、４１ａ…吐出面、４２…ヘッド移動部、４３…ノズル、５０…メンテナンス部、５１…処理部、５２…基部、５３…移動部、６０…布帛押着部、７０…色彩測定部、８０…制御部、９０…画像情報入力部、９１…アプリケーションソフトウェア、９２，９２ａ，９２ｂ…変換ソフトウェア、９３…ＬＵＴ補正処理モジュール、９４…ＲＧＢ補正モジュール、９５…液体吐出制御情報補正モジュール、１００…捺染装置。
【図１】
2015039678.tif 000003
【図２】
2015039678.tif 000004
【図３】
2015039678.tif 000005
【図４】
2015039678.tif 000006
【図５】
2015039678.tif 000007